(57)【要約】【課題】本発明は電子装置に関し、ケース本体の外形寸法を小さくして小型化を実現することを課題とする。【解決手段】電子モジュール４１が、シールドケース４２内に収容してある構造である。ケース本体４３は、その側板部の上端に、ケース本体の内側に傾斜している案内部５５を有する。カバー部材７０のラグ部７２は、外側に傾斜した傾斜部を有しない平面の形状である。カバー部材７０は、ラグ部７２を案内部５５によって案内されてケース本体４３の外側面に導かれる。【選択図】        図１
2004235229.tif 000002
【特許請求の範囲】
【請求項１】
電子モジュールがシールドケース内に収容してある構造であり、
該シールドケースは、底板部と側板部とを有し上面が開口であるケース本体と、天板部とこの天板部の縁のラグ部とを有するカバー部材とよりなり、該カバー部材はそのラグ部がケース本体の側板部の外側面と重なってケース本体に取り付けられ、前記ラグ部が外側、前記側板部が内側となる構成である電子装置において、
該カバー部材がケース本体に取り付けられる際に上記ラグ部がケース本体の側板部の外側面に導かれるようにする案内部を、前記ケース本体の側板部に設けた構成とした電子装置。
【請求項２】
電子モジュールがシールドケース内に収容してある構造であり、
該シールドケースは、底板部と側板部とを有し上面が開口であるケース本体と、天板部とこの天板部の縁のラグ部とを有するカバー部材とよりなり、該カバー部材はそのラグ部がケース本体の側板部の外側に嵌合してケース本体に取り付けられる構成である電子装置において、
前記ケース本体は、その側板部の上端に、該ケース本体の内側に傾斜している案内部を有する構成であり、
前記カバー部材のラグ部は、その先端に外側に傾斜した傾斜部を有しない形状であり、
該カバー部材が、そのケース本体に取り付けられる際に、上記ラグ部の先端が前記ケース本体の上記側板部の上端の案内部によって案内される構成とした電子装置。
【請求項３】
請求項２記載の電子装置において、
前記ラグ部は、その中央部に先端に突き出た突き出し部を有する形状であり、
該カバー部材が、そのケース本体に取り付けられる際に、上記ラグ部の先端の突き出し部が前記ケース本体の上記側板部の上端の案内部によって案内される構成とした電子装置。
【請求項４】
請求項２記載の電子装置において、
前記ラグ部は、その中央部に先端に突き出た突き出し部を有する形状であり、
前記ケース本体は、その側板部の上端の案内部を、上記突き出し部に対応する部分に限定して有する構成であり、
該カバー部材が、そのケース本体に取り付けられる際に、上記ラグ部の先端の突き出し部が前記ケース本体の上記側板部の上端の案内部によって案内される構成とした電子装置。
【発明の詳細な説明】
【０００１】
【発明の属する技術分野】
本発明はシールドケースを備えた電子装置に関する。
【０００２】
【従来の技術】
チューナ等のシールドケースを備えた電子装置は、他の電子部品と共に電子機器のプリント板上に実装されて使用される。電子機器の小型化に伴なって、プリント板上の電子装置及び電子部品の実装密度が高くなってきており、電子装置は平面サイズを小さくする小型化が求められている。
【０００３】
図４は従来の電子装置１であり、電子モジュール２がシールドケース３内に収容してある構造である。Ｘ１−Ｘ２は幅方向、Ｙ１−Ｙ２は奥行き方向、Ｚ１−Ｚ２は高さ方向である。シールドケース３は、ケース本体４とカバー部材２０とよりなる。ケース本体４は、箱形状であり、底板部５と四方の側板部６〜９とよりなり、上面は開口１０である。カバー部材２０は、各辺側にラグ部２１を有する。カバー部材２０は、図５（Ａ），（Ｂ），（Ｃ）に示すように、そのラグ部２１が側板部６〜９の外側面に嵌合し、ラグ部２１の孔２２が側板部６〜９の突起部１５に嵌合して、ケース本体４に結合してあり、開口１０を塞いでいる。電子モジュール２のピン端子２ａがシールドケース３の底板部５から突き出ている。この電子装置１は、ピン端子２ａをプリント基板のスルーホールに差し込んでプリント基板上に実装される。
【０００４】
【特許文献】
特開平１１−３０７９７８号
【０００５】
実開平６−６６０９２号
【発明が解決しようとする課題】
図４及び図５（Ａ）に示すように、ラグ部２１はその下端に、案内部２３を有する。この案内部２３は、カバー部材２０をケース本体４に取り付けるときに、ラグ部２１を側板部８の外側に導くためのものであり、カバー部材２０の外側であるＹ２方向に折り曲げて形成してある。
【０００６】
カバー部材２０をケース本体４に取り付けるときに、図５（Ｂ），（Ｃ）に示すように、案内部２３が側板部８の上端に当り、ラグ部２１がＹ２方向に案内されて側板部８の外側に到り、カバー部材２０はケース本体４に円滑に取り付けられる。
【０００７】
ここで、案内部２３はシールドケース３の外側に露出しているため、電子装置１の外形寸法Ａは、図５（Ｃ）に示すように、案内部２３の先端までの寸法となって、電子装置１の小型化を図る上で障害となっていた。
【０００８】
そこで、本発明は上記課題を解決した電子装置を提供することを目的とする。
【０００９】
【課題を解決するための手段】
請求項１の発明は、電子モジュールがシールドケース内に収容してある構造であり、
該シールドケースは、底板部と側板部とを有し上面が開口であるケース本体と、天板部とこの天板部の縁のラグ部とを有するカバー部材とよりなり、該カバー部材はそのラグ部がケース本体の側板部の外側面と重なってケース本体に取り付けられ、前記ラグ部が外側、前記側板部が内側となる構成である電子装置において、
該カバー部材がケース本体に取り付けられる際に上記ラグ部がケース本体の側板部の外側面に導かれるようにする案内部を、前記ケース本体の側板部に設けた構成としたものである。
【００１０】
案内部をケース本体の側板部に設けることによって、カバー部材のラグ部には、外側に傾斜させた案内部が必要でなくなり、平面状で足りるようになり、よって、シールドケースの外形寸法を小さくすることが可能となる。
【００１１】
請求項２の発明は、電子モジュールがシールドケース内に収容してある構造であり、
該シールドケースは、底板部と側板部とを有し上面が開口であるケース本体と、天板部とこの天板部の縁のラグ部とを有するカバー部材とよりなり、該カバー部材はそのラグ部がケース本体の側板部の外側に嵌合してケース本体に取り付けられる構成である電子装置において、
前記ケース本体は、その側板部の上端に、該ケース本体の内側に傾斜している案内部を有する構成であり、
前記カバー部材のラグ部は、その先端に外側に傾斜した傾斜部を有しない形状であり、
該カバー部材が、そのケース本体に取り付けられる際に、上記ラグ部の先端が前記ケース本体の上記側板部の上端の案内部によって案内される構成としたものである。
【００１２】
請求項３の発明は、請求項２記載の電子装置において、
前記ラグ部は、その中央部に先端に突き出た突き出し部を有する形状であり、
該カバー部材が、そのケース本体に取り付けられる際に、上記ラグ部の先端の突き出し部が前記ケース本体の上記側板部の上端の案内部によって案内される構成としたものである。
【００１３】
ラグ部はその先端の突き出し部から案内され始めるようになって、案内動作が安定に行われる。
【００１４】
請求項４の発明は、請求項２記載の電子装置において、
前記ラグ部は、その中央部に先端に突き出た突き出し部を有する形状であり、
前記ケース本体は、その側板部の上端の案内部を、上記突き出し部に対応する部分に限定して有する構成であり、
該カバー部材が、そのケース本体に取り付けられる際に、上記ラグ部の先端の突き出し部が前記ケース本体の上記側板部の上端の案内部によって案内される構成としたものである。
【００１５】
案内部のサイズが小さくて足り、案内部は形成し易い。
【００１６】
【発明の実施の形態】
図１は本発明の一実施例の電子装置４０であり、プリント基板に電子部品が実装してある電子モジュール４１が、シールドケース４２内に収容してある構造である。Ｘ１−Ｘ２は幅方向、Ｙ１−Ｙ２は奥行き方向、Ｚ１−Ｚ２は高さ方向である。シールドケース４２は、ケース本体４３とカバー部材７０とよりなる。ケース本体４３は、箱形状であり、底板部４５と四方の側板部４６、４７，４８、４９−１，４９−２とよりなり、上面は開口５０である。カバー部材７０は、天板部７１と、天板部７１の各辺側に下方に折り曲げてあるラグ部７２〜７５とよりなる。カバー部材７０は、ラグ部７２〜７５がケース本体４３の側板部４６、４７，４８、４９−１，４９−２の外側面に重なって、孔７６が突起部５１に嵌合してケース本体４３と結合してあり、天板部７１が開口５０を覆っている。
【００１７】
図１及び図２（Ａ）に示すように、側板部４８の上端４８ａのうち中央の部分に、案内部５５が形成してある。案内部５５は、側板部４８の上端４８ａをＹ１方向に、即ち、ケース本体４３の内部の方向にプレスすることによって形成してあり、ケース本体４３の内部の方向に傾斜した傾斜面５６を有する。
【００１８】
図１に示すように、ラグ部７２は、図５（Ａ）中の案内部２３に相当する部分は有していず、その下端である先端まで平面状である。また、ラグ部７２は、中央部に、Ｚ２方向に突き出た一対の突き出し部７２ａ、７２ｂを有する。上記の案内部５５は、側板部４８の全長上、一対の突き出し部７２ａ、７２ｂに対応する部分に限定して形成してある。
【００１９】
カバー部材７０をケース本体４３に取り付けるときに、図２（Ｂ），（Ｃ）に示すように、突き出し部７２ａ、７２ｂが案内部５５の傾斜面５６に当ってこれによって案内されて、ラグ部７２が側板部４８の外側に導かれ、カバー部材７０はケース本体４３に円滑に取り付けられる。
【００２０】
ここで、ラグ部７２は、外側へ曲げてある部分を有していず、その下端である先端まで平面状であるので、電子装置４０の外形寸法Ｂは、図２（Ｃ）に示す外形寸法Ａに比べて、案内部２３の無い分、短く、電子装置４０は従来に比べて小型である。
【００２１】
また、上記の案内部５５が形成してあるのは、一対の突き出し部７２ａ、７２ｂに対応する部分であり、この部分は、ラグ部７２のＸ１−Ｘ２方向の全長に対応する部分に比べて、狭い部分であるので、案内部５５の形成は容易である。
【００２２】
図３（Ａ），（Ｂ）はシールドケースの変形例を示す。シールドケース４２Ａは案内部５５Ａを有する。案内部５５Ａは、ケース本体４３Ａのうち側板部４８の外側面と上端面との縁の部分に傾斜面５６Ａを有する構成である。傾斜面５６Ａは、上記の縁の部分をプレスで押しつぶすことによって形成してある。カバー部材７０Ａはラグ部７２Ａの先端を案内部５５Ａの傾斜面５６Ａによって案内されてケース本体４３に取り付けられる。
【００２３】
【発明の効果】
上述の如く、本発明によれば、カバー部材がケース本体に取り付けられる際にラグ部がケース本体の側板部の外側面に導かれるようにする案内部を、ケース本体の側板部に設けた構成であるため、ラグ部をその先端まで平面状とすることが出来、よって、ラグ部の先端側を外側に曲げて案内部としてある従来の電子装置に比べて、外形寸法を小さくすることが出来るという特長を有する。
【図面の簡単な説明】
【図１】本発明の一実施例になる電子装置を示す斜視図である。
【図２】図１中、シールドケースの一部の断面図である。
【図３】シールドケースの変形例を示す図である。
【図４】従来の電子装置を示す斜視図である。
【図５】図５中、シールドケースの一部の断面図である。
【符号の説明】
４０  電子装置
４１  電子モジュール
４２  シールドケース
４３  ケース本体
４５  底板部
４６、４７，４８、４９−１，４９−２  側板部
５５  案内部
５６  傾斜面
７０  カバー部材
７１  天板部
７２  ラグ部
７２ａ、７２ｂ  突き出し部
【図１】
2004235229.tif 000003
【図２】
2004235229.tif 000004
【図３】
2004235229.tif 000005
【図４】
2004235229.tif 000006
【図５】
2004235229.tif 000007